(57)【要約】【課題】本発明は、記録された画像とトリミングされた画像の向きが互いに異なる場合であっても、トリミング画像とそれ以外の画像を違和感なく適切に表示することができる画像記録装置を提供する。【解決手段】デジタルカメラ１００は、画像を記録するメモリ５２と、画像の一部をトリミングするための操作部７０及びシステム制御５０を備える。システム制御部５０は、ユーザーが操作部７０で指定したトリミング範囲に基づき画像の一部を切り出してメモリ５２に記録する際に、切り出した画像の向きに応じて回転フラグを付与するかどうかを判断する。【選択図】図２
2009044635.tif 000002
【特許請求の範囲】
【請求項１】
画像を記録する記録手段と、前記画像の一部を切り出すトリミング手段とを備える画像記録装置であって、
前記トリミング手段により前記画像の一部を切り出して記録する際に、切り出した画像の向きに応じて回転フラグを付与するかどうかを判断する制御手段を備えることを特徴とする画像記録装置。
【請求項２】
前記制御手段は、前記記録手段に記録された画像の向きと前記トリミング手段により切り出した画像の向きが異なる場合に前記回転フラグを付与することを特徴とする請求項１記載の画像記録装置。
【請求項３】
前記制御手段は、前記記録手段に記録された画像が横向きで前記トリミング手段により切り出した画像が縦向きであると判断したときは、前記切り出した画像に前記回転フラグを付与して前記記録手段に横向きで記録する一方、
前記記録手段に記録された画像が横向きで前記トリミング手段により切り出した画像が横向きであると判断したときは、前記切り出した画像に前記回転フラグを付与しないで前記記録手段に横向きで記録することを特徴とする請求項２記載の画像記録装置。
【請求項４】
前記切り出した画像の向きは、ユーザーが指定したトリミング範囲により決定されることを特徴とする請求項１乃至３のいずれか１項に記載の画像記録装置。
【請求項５】
画像を記録する記録手段と、前記画像の一部を切り出すトリミング手段とを備える画像記録装置の画像記録方法であって、
前記トリミング手段により前記画像の一部を切り出して記録する際に、切り出した画像の向きに応じて回転フラグを付与するかどうかを判断する制御工程を備えることを特徴とする画像記録方法。
【請求項６】
前記制御工程は、前記記録手段に記録された画像の向きと前記トリミング手段により切り出した画像の向きが異なる場合に前記回転フラグを付与することを特徴とする請求項５記載の画像記録方法。
【請求項７】
前記制御工程は、前記記録手段に記録された画像が横向きで前記トリミング手段により切り出した画像が縦向きであると判断したときは、前記切り出した画像に前記回転フラグを付与して前記記録手段に横向きで記録する一方、
前記記録手段に記録された画像が横向きで前記トリミング手段により切り出した画像が横向きであると判断したときは、前記切り出した画像に前記回転フラグを付与しないで前記記録手段に横向きで記録することを特徴とする請求項６記載の画像記録方法。
【請求項８】
前記切り出した画像の向きは、ユーザーが指定したトリミング範囲により決定されることを特徴とする請求項５乃至７のいずれか１項に記載の画像記録方法。
【発明の詳細な説明】
【技術分野】
【０００１】
本発明は、画像記録装置及び方法に関し、特に、画像の一部を切り出して表示するトリミング機能を有する画像記録装置及び方法に関する。
【背景技術】
【０００２】
従来、撮影時における撮影補助情報を表示する表示手段（フレーム）により画像の向きを検出して回転フラグを画像に付与する方法がある。また、すべて横長の画像で記録し、必要に応じて回転フラグを使う画像記録方法がある。これにより、縦長の画像と横長の画像を記録する処理を省くことができ、撮影時に画像に付与された回転フラグを使用することで、撮影時と同じ向きでの再生が可能となる。
【特許文献１】特開２００２−０９４８３８号公報
【発明の開示】
【発明が解決しようとする課題】
【０００３】
しかしながら、撮影時に記録された画像の向きとトリミングされた画像の向きが異なる場合、撮影画像に付与された回転情報をそのまま引き継いでトリミング画像の保存を行うと、トリミング画像が適切に表示できなくなるおそれがある。
【０００４】
また、回転情報を使用せずに画像をそのままの画像サイズで保存すると、トリミングされていない画像とトリミングした画像の再生時の向きが異なることがあり、ユーザーの混乱を招いてしまうという問題がある。
【０００５】
本発明は、上記問題に鑑みて成されたものであり、記録された画像とトリミングされた画像の向きが互いに異なる場合であっても、トリミング画像とそれ以外の画像を違和感なく適切に表示することができる画像記録装置及び方法を提供することを目的とする。
【課題を解決するための手段】
【０００６】
上記目的を達成するために、請求項１記載の画像記録装置は、画像を記録する記録手段と、前記画像の一部を切り出すトリミング手段とを備える画像記録装置であって、前記トリミング手段により前記画像の一部を切り出して記録する際に、切り出した画像の向きに応じて回転フラグを付与するかどうかを判断する制御手段を備えることを特徴とする。
【０００７】
上記目的を達成するために、請求項５記載の画像記録方法は、画像を記録する記録手段と、前記画像の一部を切り出すトリミング手段とを備える画像記録装置の画像記録方法であって、前記トリミング手段により前記画像の一部を切り出して記録する際に、切り出した画像の向きに応じて回転フラグを付与するかどうかを判断する制御工程を備えることを特徴とする。
【発明の効果】
【０００８】
本発明によれば、記録された画像とトリミングされた画像の向きが互いに異なる場合であっても、トリミング画像とそれ以外の画像を違和感なく適切に表示することができる。
【発明を実施するための最良の形態】
【０００９】
以下、本発明の実施の形態を図面を参照して詳細に説明する。
【００１０】
図１は、本発明の実施形態に係る画像記録装置の一例であるデジタルカメラ１００の構成を示す機能ブロック図である。
【００１１】
本実施の形態におけるデジタルカメラ１００は、デジタル記憶媒体（例えば、ＥＥＰＲＯＭやハードディスク等の記憶媒体）にデジタル画像データを記録するデジタルカメラである。デジタルカメラ１００は光学系１０を備え、光学系１０を介して被写体像を撮像するように構成されている。光学系１０は、撮像用レンズに加えて、撮像画角を変更可能なズームレンズを備える。これにより、光学的なズーム機能（いわゆる光学ズーム）が提供可能になる。また、デジタルカメラ１００は、撮像された画像の一部を切り出す（トリミング）電子的なズーム機能（いわゆる電子ズーム）をも有する。
【００１２】
なお、デジタルカメラ１００は、光学ズーム及び電子ズームのいずれか一方のズーム機能のみを有するように構成されてもよい。光学系１０は交換可能に構成されてもよい。この場合、デジタルカメラ１００に光学系１０内の変倍用のレンズを機械的又は電気的に駆動する駆動機構を設け、当該レンズ駆動機構が変倍用のレンズを駆動してズーム機能を実現してもよい。
【００１３】
光学系１０を通る被写体からの光線（光学的な画角内から入射する光線）は、絞り機能を備えるシャッター１２の開口を通して撮像素子１４の撮像面に被写体の光学像を形成する。撮像素子１４は、例えば、ＣＣＤセンサやＣＭＯＳセンサなどで構成される。撮像素子１４は、その撮像面に形成された光学像を電気的なアナログ画像信号に変換してＡ／Ｄ変換器１６に出力する。
【００１４】
Ａ／Ｄ変換器１６は、撮像素子１４から入力されたアナログ画像信号をデジタル画像信号に変換する。撮像素子１４及びＡ／Ｄ変換器１６は、タイミング発生回路１８から提供されるクロック信号や制御信号によって制御される。タイミング発生回路１８は、メモリ制御部２２及びシステム制御部５０により制御される。
【００１５】
画像処理部２０は、Ａ／Ｄ変換器１６から入力された画像データ（デジタル画像信号）又はメモリ制御部２２から入力された画像データに対して画素補間処理や色変換処理等の画像処理を行う。また、画像処理部２０は、撮像素子１４で撮像された画像データに基づいて、ＴＴＬ（スルー・ザ・レンズ）方式のＡＦ（オートフォーカス）処理、ＡＥ（自動露出）処理、ＥＦ（フラッシュプリ発光による自動調光）処理のためのデータの演算を行う。そして、画像処理部２０は、この演算により得られたデータをシステム制御部５０に出力する。また、画像処理部２０は、撮像素子１４で撮像された画像データに基づいてＴＴＬ方式のＡＷＢ（オートホワイトバランス）処理も実行する。
【００１６】
メモリ制御部２２は、Ａ／Ｄ変換器１６、タイミング発生回路１８、画像処理部２０、画像表示メモリ２４、Ｄ／Ａ変換器２６、メモリ３０、及び圧縮・伸長部３２を制御する。
【００１７】
Ａ／Ｄ変換器１６から出力された画像データは、画像処理部２０及びメモリ制御部２２を介して又は画像処理部２０を介することなく直接メモリ制御部２２を介して、画像表示メモリ２４又はメモリ３０に書き込まれる。画像表示メモリ２４に書き込まれた表示用の画像データは、Ｄ／Ａ変換器２６によって表示用のアナログ画像信号に変換されて画像表示部２８に出力される。これにより、画像表示部２８に撮像画像が表示される。また、画像表示部２８に撮像画像を連続的に表示することにより、電子ビューファインダ（ＥＶＦ）機能が実現される。
【００１８】
画像表示部２８は、システム制御部５０からの指令又は画像表示ＯＮ／ＯＦＦスイッチ６５によって任意に表示をＯＮ／ＯＦＦされうる。画像表示部２８の表示をＯＦＦすることにより、デジタルカメラ１００の電力消費を低減することができる。
【００１９】
メモリ３０は、撮像（記憶媒体に保存する画像として撮像）した静止画像や動画像を格納するために使用される。メモリ３０の記憶容量やアクセス速度（書き込み速度、読み出し速度）は任意に設計されうるが、複数枚の静止画像を連続して撮像する連写機能やパノラマ撮影機能を可能にするための記憶容量やアクセス速度が必要となる。また、メモリ３０は、システム制御部５０の作業領域としても使用される。
【００２０】
圧縮・伸長部３２は、例えば、適応離散コサイン変換（ＡＤＣＴ）等により画像データを圧縮・伸長する回路である。圧縮・伸長部３２は、メモリ３０に格納された画像データを読み込んで圧縮処理又は伸長処理を行い、処理を終えた画像データをメモリ３０に書き込む。また、圧縮・伸長部３２は、トリミング手段で指定された範囲の画像を保存する。
【００２１】
露光制御部４０は、システム制御部５０から出力される情報に基づいてシャッター１２を制御する。また、露光制御部４０は、フラッシュ４８（発光装置）と連携したフラッシュ調光機能を有する。フラッシュ４８は、屋内などの暗所での撮影時に光を投光するフラッシュ調光機能や、ＡＦ補助光を投光するＡＦ補助光の投光機能を有する。
【００２２】
測距制御部４２は、システム制御部５０から出力される情報に基づいて光学系１０のフォーカシング用レンズを制御する。ズーム制御部４４は、光学系１０のズーミング機能を制御する。バリア制御部４６は、光学系１０を保護するバリア１０２の動作を制御する。
【００２３】
システム制御部５０は、デジタルカメラ１００全体を制御する。また、システム制御部５０は、画像処理部２０から入力されたデータに基づいて露光制御部４０、測距制御部４２（ＡＦ制御部）を制御し、自動露出やオートフォーカス機能を実現する。
【００２４】
メモリ５２は、システム制御部５０の動作用の定数、変数、プログラム、及び画像表示部２８にオブジェクトを表示するためのオブジェクトデータ等を記憶する。オブジェクトデータは、撮像によって生成される画像データとは異なり、画像データを一時的に保持するメモリ領域とは異なるメモリ領域に保持される。オブジェクトデータは、典型的には、デジタルカメラ１００の出荷前にメモリ５２に書き込まれる。また、オブジェクトデータは、デジタルカメラ１００の出荷後に、電気通信回線を通じてダウンロードされるデータ又は記憶媒体に収めてユーザーに提供されるデータに基づいてユーザーによって書き換えられてもよい。さらに、オブジェクトデータは、サービスセンター等において書き換えられてもよい。
【００２５】
表示部５４は、例えば、ＬＣＤ（Liquid Crystal Display）やＬＥＤ（Light Emitting Diod）によって構成される。表示部５４は、少なくとも１つの表示素子で構成され、システム制御部５０におけるプログラムの実行に応じて、文字、画像等により動作状態やメッセージ等を出力するように構成される。また、表示部５４は、デジタルカメラ１００の適所に配置される。
【００２６】
表示部５４を構成する一部の表示素子は、光学ファインダ１０４内に配置される。表示部５４に表示される情報のうち、ＬＣＤ等に表示される情報としては、例えば、シングルショット／連写撮像表示、セルフタイマー表示、圧縮率表示、記録画素数表示、記録枚数表示、残撮像可能枚数表示、及びシャッタースピード表示などがある。この他にも、絞り値表示、露出補正表示、フラッシュ表示、赤目緩和表示、マクロ撮像表示、ブザー設定表示、時計用電池残量表示、電池残量表示、エラー表示、及び複数桁の数字による情報表示などがある。さらに、記憶媒体２００，２１０の着脱状態表示、通信Ｉ／Ｆ１１０の動作表示、日付・時刻表示などがある。
【００２７】
また、表示部５４に表示される情報のうち、光学ファインダ１０４内に表示される情報としては、例えば、合焦表示、手振れ警告表示、フラッシュ充電表示、シャッタースピード表示、絞り値表示、及び露出補正表示などがある。
【００２８】
不揮発性メモリ５６は、例えば、ＥＥＰＲＯＭ等の電気的に消去・記録が可能なメモリである。なお、前述のオブジェクトデータは、不揮発性メモリ５６に格納されてもよい。モードダイアル６０は、デジタルカメラ１００の状態を「撮像モード」、「再生モード」、「ＰＣ接続モード」などに設定（切り替え）するためのダイアルである。
【００２９】
第１シャッタースイッチＳＷ１（６２）は、不図示のシャッターボタンの操作途中（半押し）でＯＮとなり、ＡＦ処理、ＡＥ処理、ＡＷＢ処理、ＥＦ処理等の開始をシステム制御部５０に指示する。第２シャッタースイッチＳＷ２（６４）は、不図示のシャッターボタンの操作完了（全押し）でＯＮとなる。
【００３０】
第２シャッタースイッチＳＷ２（６４）がＯＮになると、システム制御部５０に処理の開始を指示する。システム制御部５０は、第２シャッタースイッチＳＷ２（６４）から開始指示を受けると、撮像素子１４から画像信号を読み出してＡ／Ｄ変換器１６でデジタル画像データに変換する。その後、変換した画像データを画像処理部２０で処理してメモリ制御部２２を介してメモリ３０に書き込む。
【００３１】
また、システム制御部５０は、第２シャッタースイッチＳＷ２（６４）から開始指示を受けると、メモリ３０から画像データを読み出して圧縮・伸長部３２で圧縮する。そして、その圧縮された画像データを記憶媒体２００又は２１０に書き込む処理を含む一連の処理（撮像処理）を開始する。角度検出センサ６８は、デジタルカメラ１００の傾き角度を検出する。具体的には、角度検出センサ６８は、デジタルカメラ１００が水平状態にあるか、左右いずれかに９０度回転された状態にあるかを検出する。
【００３２】
電源制御部８０は、例えば、電源検出回路、ＤＣ−ＤＣコンバータ、通電するブロックを切り替えるスイッチ回路等を備える。電源制御部８０は、電源の有無、電源の種類、及び電池残量の検出を行い、その検出結果とシステム制御部５０からの指令に従ってＤＣ−ＤＣコンバータを制御し、必要な電圧を必要な期間に各ブロックに供給する。
【００３３】
デジタルカメラ１００の本体はコネクタ８２を有し、電源８６はコネクタ８４を有し、これらコネクタ８２,８４によって互いに接続される。電源８６は、例えば、アルカリ電池やリチウム電池等の一次電池や、ＮｉＣｄ電池やＮｉＭＨ電池、Ｌｉ電池等の二次電池、ＡＣアダプタ等である。
【００３４】
記憶媒体２００，２１０は、コネクタ２０６，２１６によってデジタルカメラ１００の本体のコネクタ９２，９６に接続される。記憶媒体２１０，２１０は、例えば、半導体メモリ又はハードディスク等の記録部２０２，２１２と、インタフェース（Ｉ／Ｆ）２０４，２１４を備える。そして、デジタルカメラ１００のインタフェース（Ｉ／Ｆ）９０，９４を介してデジタルカメラ１００内のバスに接続される。
【００３５】
記憶媒体着脱検知部９８は、コネクタ９２，９６に記憶媒体２００，２１０が接続されているか否かを検知する。なお、本実施の形態では、記憶媒体を取り付けるインタフェース及びコネクタを２系統有するデジタルカメラについて説明したが、これらは１系統でもよいし、３系統以上でもよい。複数系統のインタフェース及びコネクタを備える場合は、それらは互いに異なる仕様を有していてもよい。
【００３６】
インタフェース及びコネクタとしては、例えば、ＰＣＭＣＩＡカードやＣＦ（コンパクトフラッシュ（登録商標））カード等の規格に準拠したものを用いることができる。インタフェース９０，９４及びコネクタ９２，９６としてＰＣＭＣＩＡカードやＣＦカード等の規格に準拠したものを採用する場合は、各種通信カード等を用いて外部機器との間で画像データや画像データに付属した管理情報を相互に転送できる。通信カードとしては、ＬＡＮカードやモデムカード、ＵＳＢカード、ＩＥＥＥ１３９４カード、Ｐ１２８４カード、ＳＣＳＩカード、ＰＨＳ等が挙げられる。外部機器としては、コンピュータやプリンタ等の周辺機器が挙げられる。
【００３７】
光学ファインダ１０４は、画像表示部２８によるＥＶＦ機能を使用することなしに撮像を行うことを可能にする。光学ファインダ１０４内には、表示部５４の一部を構成する表示素子、例えば、合焦表示、手振れ警告表示、フラッシュ充電表示、シャッタースピード表示、絞り値表示、及び露出補正表示などを行うための表示素子が配置される。通信Ｉ／Ｆ１１０は、ＵＳＢ、ＩＥＥＥ１３９４、Ｐ１２８４、ＳＣＳＩ、モデム、ＬＡＮ、ＲＳ２３２Ｃ、及び無線通信等の各種通信方式に応じたインタフェース機能を有する。通信Ｉ／Ｆ１１０には、デジタルカメラ１００を他の機器と接続するためのコネクタ１１２又は無線通信機能を提供する際にはアンテナが接続される。
【００３８】
操作部７０は、各種ボタンやタッチパネル等から構成され、例えば、メニューボタン、セットボタン、マクロボタン、マルチ画面再生改ページボタン、フラッシュ設定ボタン、及び単写／連写／セルフタイマー切り替えボタンなどを備える。また、操作部７０は、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、及び日付／時間設定ボタンなどを備える。
【００３９】
また、操作部７０は不図示の上下左右ボタンを備える。ユーザーは、操作部７０上のメニューボタンで「トリミング」を選択すると、上下左右ボタンにより画像表示部２８に表示されたトリミング画面上で画像の切り出し（トリミング）範囲を指定することができる。トリミング範囲の大きさや位置についてはユーザーが自由に設定できるが、アスペクト比については、記録された画像と同じにする。また、切り出した画像の向きは、ユーザーが指定したトリミング範囲により決定される。
【００４０】
トリミング時に指定された情報は操作部７０からシステム制御部５０に出力される。そして、システム制御部５０から画像処理部２０にトリミング指示が行われ、指定されたトリミング範囲が画像から切り出されてメモリ５２や記憶媒体２００，２１０等に保存される。
【００４１】
次に、デジタルカメラ１００におけるトリミング動作の流れを図２〜図４を参照して説明する。
【００４２】
図２は、図１のデジタルカメラ１００におけるトリミング動作の流れを示すフローチャートである。本処理は、システム制御部５０がメモリから制御プログラムを読み出して実行されるものである。図３及び図４は、トリミング時の画像の向きと記録される画像の向きを示す図である。
【００４３】
ステップＳ２０１において、システム制御部５０は、ユーザーにより指定されたトリミング範囲の画像（トリミング画像）が横向きか否かを判断する。この結果、図３（ａ）に示すように、トリミング画像が横向きであると判断した場合は、ステップＳ２０２に進む。
【００４４】
ステップＳ２０２では、システム制御部５０は、図３（ｂ）に示すように、切り出した画像に回転フラグ（回転情報）を付与せずにそのままメモリ５２等に保存する。回転フラグは、画像を表示する際に当該画像を回転させて表示するか否かを判定するためのフラグである。
【００４５】
一方、ステップＳ２０１において、システム制御部５０は、ユーザーにより指定されたトリミング範囲の画像（トリミング画像）が横向きでなく、図４（ａ）に示すように、縦向きであると判断したときは、ステップＳ２０３へ進む。
【００４６】
ステップＳ２０３では、システム制御部５０は、図４（ｂ）に示すように、トリミング画像に回転フラグを付与する。そして、トリミング画像を横向きでメモリ５２等に保存（記録）する。
【００４７】
上記実施の形態によれば、画像の一部を切り出して記録する際に、切り出した画像の向きに応じて回転フラグを付与するかどうかを判断する。これにより、撮影時に記録された画像とトリミングされた画像の向きが互いに異なる場合であっても、トリミング画像とそれ以外の画像を違和感なく適切に表示することができる。
【００４８】
また、撮影時に記録された画像とトリミングされた画像の向きが互いに異なる場合に回転フラグを付与する。これにより、画像再生時の画像の向きが画像記録時の画像の向きと同じになり、縦長の画像と横長の画像の２通りを記録する必要がなくなってメモリを効率よく利用することができる。
【００４９】
上記実施の形態では、記録された画像が横向きで切り出した画像が縦向きの場合について説明したが、逆の場合であってもよいことは言うまでもない。すなわち、記録された画像が縦向きで切り出した画像が横向きの場合であってもよい。
【００５０】
上記実施の形態では、画像記録装置としてデジタルカメラ１００について説明したが、これに限定せず、例えば、デジタルムービーカメラ、デジタルスチルカメラ、それらを組み合わせた複合機などであってもよい。
【００５１】
また、上記実施形態では、デジタルカメラ等の画像記録装置だけでなく、撮像機能を備えていないＰＣ（パーソナルコンピュータ）などの情報処理装置や画像表示装置、画像編集装置にも本発明を適用可能である。本発明の特徴は、原画像のアスペクト比と表示領域のアスペクト比が異なる場合において表示画像を生成する技術にあるからである。
【００５２】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【００５３】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００５４】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００５５】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００５６】
【図１】本発明の実施形態に係る画像記録装置の一例であるデジタルカメラ１００の構成を示す機能ブロック図である。
【図２】図１のデジタルカメラ１００におけるトリミング動作の流れを示すフローチャートである。
【図３】トリミング時の画像の向きと記録される画像の向きの一例を示す図であり、（ａ）は横向きでトリミングされたときのトリミング画面、（ｂ）は横向きでトリミングされたときに記録される画像である。
【図４】トリミング時の画像の向きと記録される画像の向きの一例を示す図であり、（ａ）は縦向きでトリミングされたときのトリミング画面、（ｂ）は縦向きでトリミングされたときに記録される画像である。
【符号の説明】
【００５７】
２８  画像表示部
５０  システム制御部
５２  メモリ
７０  操作部
１００  デジタルカメラ
【図１】
2009044635.tif 000003
【図２】
2009044635.tif 000004
【図３】
2009044635.tif 000005
【図４】
2009044635.tif 000006